(57)【要約】【課題】取付杆と取付基板との締結をより強固にできるとともに、締結作業を安定した状態で行える軒樋支持具を提供する。【解決手段】取付基板２０の凹溝部２１の側壁２１ｂの溝開口側の端部および取付杆１０の取付片部１１の側端部のいずれか一方には、相互に対向する方向に突出する突片２３が形成され、他方には、突片２３の先端部が当接される被当接部（切欠き凹所１１ｂの凹底部１１ｂａ）が形成されている。【選択図】図１
2010196343.tif 000002
【特許請求の範囲】
【請求項１】
軒樋を支持する本体部および取付片部を備えた取付杆と、内側に凹溝部が形成された取付基板とを備え、上記取付杆の取付片部を、上記取付基板の凹溝部に嵌合し、カシメ締結して被取付体に取付固定する構造とした軒樋支持具であって、
上記取付基板の凹溝部の側壁の溝開口側の端部および上記取付杆の取付片部の側端部のいずれか一方には突片が形成され、他方には、該突片の先端部が当接される被当接部が形成されていることを特徴とする軒樋支持具。
【請求項２】
請求項１において、
上記取付基板の凹溝部の側壁には、該凹溝部に直交し、該取付基板の外側に膨出した補強部が形成されている軒樋支持具。
【請求項３】
請求項１または２において、
上記被当接部は、上記取付杆の取付片部の側端部に形成された切欠き凹所の凹底部によって構成されている軒樋支持具。
【請求項４】
請求項１〜３のいずれかに記載の軒樋支持具に用いられる取付基板。
【請求項５】
請求項１〜３のいずれかに記載の軒樋支持具に用いられる取付杆。
【発明の詳細な説明】
【技術分野】
【０００１】
本発明は、軒樋を支持する本体部および取付片部を備えた取付杆と、内側に凹溝部が形成された取付基板とを備え、取付杆の取付片部を、取付基板の凹溝部に嵌合して被取付体に取付固定する構造とした軒樋支持具、これに用いる取付基板および取付杆に関する。
【背景技術】
【０００２】
従来の軒樋支持具の軒先等における固定構造として、受け式、吊り式いずれのタイプにおいても、取付基板の中央に形成した凹溝部に取付杆の取付片部を嵌合、締結して、取付基板の両翼片部で壁等の被取付体に固定する構造が知られている（例えば、特許文献１を参照）。
【０００３】
この取付杆と取付基板の結合構造によれば、取付杆（の取付片部）と取付基板とを凹溝部においてリベット等でカシメ締結して一体化してから壁等に取付固定できるので、これらを予め一体化しておけば、現場での取付作業を効率よく短時間で行うことができる。
【０００４】
特に、特許文献１に記載のものは、取付杆の脚片部（取付片部）または固定部材（取付基板）の一方に膨出凸部を設けて、その膨出凸部を、他方に形成した孔部に貫通させ、この貫通された膨出凸部の先端をカシメ止めする構造であり、この技術によれば、リベットを必要とせず、比較的簡易に両部材の結合、一体化が行える。
【先行技術文献】
【特許文献】
【０００５】
【特許文献１】特開２００６−１５２６３８号公報
【発明の概要】
【発明が解決しようとする課題】
【０００６】
しかしながら、この種の一体化はリベット等によるカシメ締結のみによってなされるものであって、カシメ締結作業をする前では、取付基板の凹溝部と取付杆の取付片部とは遊嵌状態にあるため、軒樋支持具を壁等に固定した後にリベットが緩んだ場合には、取付片部が、壁等に固定された取付基板の凹溝部内でぐらついてしまう。たとえリベットが緩まなかったとしても、通常、カシメ止めは１箇所であるため、凹溝部と取付片部との嵌合が遊嵌関係である以上、リベット位置を中心として取付片部が回転してぐらつくおそれもある。さらに、取付基板の凹溝部と取付杆の取付片部とが上記のような遊嵌程度の寸法関係にあれば、リベットによるカシメ止めの作業がしにくいという問題もある。
【０００７】
なお、上記特許文献１に記載のものは、カシメ加工後に回転規制して、固定部材と脚片部との振れ（相互回転）を防止できる構造となっているが、カシメのみによる締結であるため、取付基板の凹溝部と取付杆の取付片部との上記のような寸法関係を考慮すれば、上記のようなぐらつきを確実に防止することはできない。そのために、種々の取付片部の寸法に合わせて取付基板の凹溝部を同寸法に形成する必要があった。
【０００８】
本発明は、このような問題を考慮して提案されたもので、その目的は、取付杆と取付基板との締結をより強固にできるとともに、締結作業を安定した状態で行える軒樋支持具、これに用いる取付基板および取付杆を提供することにある。
【課題を解決するための手段】
【０００９】
上記目的を達成するために、請求項１に記載の軒樋支持具は、軒樋を支持する本体部および取付片部を備えた取付杆と、内側に凹溝部が形成された取付基板とを備え、取付杆の取付片部を、取付基板の凹溝部に嵌合し、カシメ締結して被取付体に取付固定する構造とした軒樋支持具であって、取付基板の凹溝部の側壁の溝開口側端部および取付杆の取付片部の側端部のいずれか一方には突片が形成され、他方には、突片の先端部が当接される被当接部が形成されていることを特徴とする。
【００１０】
請求項２に記載の軒樋支持具は、取付基板の凹溝部の側壁には凹溝部に直交し、取付基板の外側に膨出した補強部が形成されている。
【００１１】
請求項３に記載の軒樋支持具は、被当接部が、取付杆の取付片部の側端部に形成された切欠き凹所の凹底部によって構成されている。
【００１２】
請求項４に記載の取付基板は、請求項１〜３のいずれかに記載の軒樋支持具に用いられる取付基板である。
【００１３】
請求項５に記載の取付杆は、請求項１〜３のいずれかに記載の軒樋支持具に用いられる取付杆である。
【発明の効果】
【００１４】
本発明の軒樋支持具、取付基板または取付杆によれば、取付基板の凹溝部の側壁の溝開口側の端部および取付杆の取付片部の側端部のいずれか一方には突片が形成され、他方には、突片の先端部が当接される被当接部が形成されているので、それらによって、取付杆の取付片部を取付基板の凹溝部内に固定することができる。すなわち、突片と被当接部との当接がカシメによる締結を補完して、二重の結合手段を構成できる。その結果、締結後にカシメが緩んだ場合でも取付杆はぐらつかず、容易には外れない。また、リベット位置を中心とした取付片部の回転ずれも防止できる。さらに、締結作業時には両者をぐらつかない状態に保持することができ、安定した締結作業が行える。
【００１５】
さらに、取付基板と取付杆の一方に突片、他方に突片が当接される被当接部を設けた構成によれば、取付杆の取付片部の形状を凹溝部および突片に合致させた形状とすることで、同形同寸法の１種の取付基板で、異なる形状、寸法の本体部を有した多種の取付杆に対応できるという副次的な効果も期待できる。
【００１６】
他の本発明によれば、凹溝部の側壁に補強部が形成されているので、例えば大きな本体部を有した取付杆を取付基板に取り付けた場合でも、取付杆による大きな負荷によって取付基板が変形または破損することを防止できる。
【００１７】
また、さらに他の本発明によれば、被当接部が取付杆の取付片部の側端部に形成された切欠き凹所の凹底部によって形成されているため、取付基板の凹溝部の幅寸法と取付杆の本体部の幅寸法とを合致させていなくともよい。凹溝部の幅寸法に比して取付杆の本体部の幅寸法が大きい場合でも、取付杆の取付片部の側端部を切り欠いて被当接部を形成することで、大きな取付杆を小さな取付基板に結合させることができる。
【００１８】
また、１種の取付基板で多種の取付杆に対応できるので、取付基板の部品点数を減らすことができ、その結果、金型や金型保管スペースを減らすことができるし、在庫管理の手間も軽減できる。
【図面の簡単な説明】
【００１９】
【図１】本発明の軒樋支持具の第１の実施形態の説明図で、（ａ）、（ｂ）は同軒樋支持具の構成部材である取付基板の概略正面図、概略平面図であり、（ｃ）は同軒樋支持具の構成部材である取付杆の概略正面図である。
【図２】同軒樋支持具の取付杆と取付基板の結合構造を示す斜視図であり、（ａ）は分離した状態、（ｂ）は結合した状態を示している。
【図３】（ａ）は同軒樋支持具の取付杆と取付基板の結合状態を示した概略正面図、（ｂ）、（ｃ）は軒樋支持具の他例を示した概略正面図である。
【図４】（ａ）、（ｂ）は、軒樋支持具のさらなる他例を示した概略正面図である。
【図５】図３（ｃ）の軒樋支持具の取付態様を示した斜視図である。
【図６】本発明の軒樋支持具の第２の実施形態を説明するための軒樋支持具の斜視図である。
【発明を実施するための形態】
【００２０】
以下に、本発明の実施の形態について、添付図面を参照しながら説明する。以下には、第１の実施形態として吊り式タイプの軒樋支持具を示し、第２の実施形態として受け式タイプの軒樋支持具を示している。
【００２１】
図１〜図５は、本発明の軒樋支持具の第１の実施形態を示す説明図である。この実施形態では、吊り式タイプの軒樋支持具を示している。なお、図５に示した軒樋支持具の取付態様図は、第１の実施形態の他例として示した図３（ｃ）の取付杆、取付基板に対応したものである。
【００２２】
本実施形態の軒樋支持具１は、軒樋Ｔを支持する軒樋支持具本体３０と、本体部１２で軒樋支持具本体３０を支持する構造とした取付杆１０と、取付杆１０の取付片部１１を嵌合する凹溝部２１を有した取付基板２０とより構成されている。
【００２３】
取付基板２０は、ステンレス材等の金属材等で製され、両側に形成された両翼片部２２、２２と、それらの間に形成された凹溝部２１とより構成されている。両翼片部２２、２２には、取付杆１０の取付片部１１を凹溝部２１に挟み込んで取付基板２０を壁等に固定するための固定具２３用の取付孔２２ａが開設され、凹溝部２１の底部２１ａには、取付杆１０を結合するためのリベットＲ用の締結孔２１ｄが開設されている。
【００２４】
凹溝部２１の両側壁２１ｂ、２１ｂの溝開口側の端部、つまり両翼片部２２、２２の凹溝部２１側の側端部には、凹溝部に直交する方向に、相互に対向するように突片２３、２３が突出している。
【００２５】
また、凹溝部２１の両側壁２１ｂ、２１ｂの上下２箇所ずつには、凹溝部２１の溝方向に直交し、取付基板２０の外側（軒樋支持具１を軒先に取り付けたとき軒先よりも前方を向く面）に膨出した補強用のリブ２１ｃが形成されている。
【００２６】
一方、取付杆１０は、ステンレス材等の金属材等で製され、軒樋Ｔを支持する樋支持具本体３０を連結、支持する本体部１２と、取付基板２０の凹溝部２１に嵌合される取付片部１１とより構成されている。
【００２７】
この取付片部１１は、その幅寸法が本体部１２の幅寸法と略同一であるが、両側において上下２箇所に切欠き凹所１１ｂが形成されている。この切欠き凹所１１ｂの凹底部１１ｂａが、取付基板２０に形成された突片２３に対する被当接部を構成する。また、この取付片部１１の正面視略中央には、取付基板２０の凹溝部２１の締結孔２１ｄと重合してリベットＲで締結するための締結孔１１ａが開設されている。
【００２８】
取付杆１０と取付基板２０とは、取付杆１０の取付片部１１を取付基板２０の凹溝部２１に嵌合し位置決めし、その後、重合された締結孔１１ａ、２１ｄをリベットＲでカシメ止めすることで締結される。
【００２９】
具体的には、４つの切欠き凹所１１ｂのそれぞれに、取付基板の４つの突片２３のそれぞれが嵌まり込んで、両者の締結孔１１ａ、２１ｄが重合するようにして、取付杆１０の取付片部１１が凹溝部２１に嵌合されることによって、位置決めがなされる。このとき、各突片２３の先端部は各切欠き凹所１１ｂの凹底部１１ｂａに当接するので、取付杆１０の取付片部１１は左右の突片２３によって挟持された状態に固定される。
【００３０】
したがって、取付杆１０と取付基板２０とは、リベットＲによるカシメ止めする前に、取付片部１１の回転等による相互の位置ずれがないように固定、結合されて、仮止め状態とすることができる。このように両者がぐらつかない状態を維持できるので、リベットＲによるカシメ締結作業をたやすく行える。
【００３１】
また、突片２３と被当接部とを当接させて両者を固定（仮止め）できるので、この固定がリベットＲによるカシメ締結とともに二重の結合手段を構成でき、その結果、カシメ等による締結を補完でき、締結後にカシメが緩んだ場合でもぐらつかず、両者が外れることを防止できる。また、カシメ位置は１箇所であるため、カシメが緩まなくても、取付片部１１は凹溝部内でリベットＲのカシメ位置を中心とした回転力が作用するが、突片２３が被当接部に当接しているため、取付片部１１の回転ずれも防止できる。
【００３２】
さらに、図３（ｂ）、（ｃ）には、図３（ａ）と同形同寸法の取付基板２０に対して、他の形状、寸法の取付杆１０を対応させた例を示している。
【００３３】
すなわち、図３（ｂ）のものでは、取付杆１０の取付片部１１の両側端に全長にわたって切欠き凹所１１ｂが形成されており、その切欠き凹所１１ｂの凹底部１１ｂａ、つまり取付片部１１の側端縁１１ｃが突片２３に対する被当接部を構成している。なお、このものは、本体部１２は図３（ａ）のものと同形同寸法とされる。
【００３４】
また、図３（ｃ）のものでは、本体部１２、取付片部１１ともに幅寸法が同一で、切欠き凹所は形成されておらず、取付片部の側端縁１１ｃが突片２３に対する被当接部を構成している。
【００３５】
図３（ｂ）、（ｃ）のものでも、突片２３が取付杆１０の被当接部に当接して仮止めできる構造であるため、図３（ａ）のものと同様に、カシメ等による締結を補完できる。特に、図３（ｂ）のものは、取付片部１１を取付基板２０の凹溝部２１に嵌合したときに、凹溝部２１の上端部（上部の突片２３や側壁２１ｂ）の端面に当接する構造となっている。このように本体部１２の取付片部１１側の端部は、凹溝部２１の上端部に当接することで回り止め片１２ａを構成できる。
【００３６】
以上のような構成によれば、取付杆１０の取付片部１１の形状を、取付基板２０の凹溝部２１および突片２３に合致させた形状としさえすれば、取付基板２０の凹溝部２１の幅寸法と取付杆１０の本体部１２の幅寸法とを合致させる必要はなく、凹溝部２１の幅寸法を一定とした１種の取付基板２０を、多種の取付杆１０に対応させた共通的な軒樋支持具の部品として使用することができる。その結果、取付基板２０の部品点数を減らすことができ、さらに取付基板２０用の金型や金型保管スペースを減らすことができる。
【００３７】
さらに、凹溝部２１の両側壁２１ｂ、２１ｂの複数個所に取付基板２０の外側に膨出した補強用のリブ２１ｃが形成されているので、大きな寸法の取付杆１０で軒樋支持具１を構成して、取付基板２０に大きな負荷がかかる場合であっても、取付後に取付基板２０が変形または破損することを防止できる。
【００３８】
また、本実施形態のさらなる他例である図４（ａ）のように、凹溝部２１の両側に配される突片２３および取付杆１０の取付片部１１に設ける切欠き凹所１１ｂは、左右に整列されて配されなくてもよく、図例のように千鳥状に配置してもよい。
【００３９】
さらに、さらなる他例である図４（ｂ）のように、突片１１ｄを取付片部１１に設け、被当接部を両翼片部２２の凹溝部２１側の端部２２ｂで構成してもよい。このような関係の突片１１ｄと被当接部とによっても、カシメ締結を補完する結合手段を構成できる。
【００４０】
以上のように相互締結された取付基板２０と、取付杆１０とは、さらにその取付杆１０の本体部１２の連結孔１２ｂａを有した連結部１２ｂに樋支持具本体３０が連結され、３部材が一体となって軒樋支持具１を構成する。
【００４１】
樋支持具本体３０は、図５に示すように、取付杆１０との連結用に本体板３１に長孔３２を備え、取付杆１０との連結位置を、長孔３２内のスライドによって変えることで、軒樋Ｔの軒先からの出具合の調節を可能としている。また、取付杆１０との連結は、長孔３２を介して取付杆１０に固定具止めした、水平方向に回転可能な回転ロックレバー３３によりなされる。
【００４２】
これら樋支持具本体３０、取付杆１０、取付基板２０の各部材が連結されて一体となった軒樋支持具１は、取付基板２０をねじなどの固定具２３で壁等に取り付けて固定され、その状態で軒樋Ｔの前後を本体板３１の前後端に設けた樋掛止部３４、３４で引っ掛けた状態にして軒樋Ｔを吊り支持する。
【００４３】
以上の第１の実施形態では、吊り式タイプの軒樋支持具として、出具合調節可能な樋支持具本体３０に連結可能な取付杆１０を含んだものを示したが、出具合調節ができない樋支持具本体に対応したものでもよいし、樋支持具本体を構成に含まず、取付杆の本体部自身で軒樋を吊り支持できるものであってもよい。
【００４４】
ついで、図６を参照しながら、本発明の軒樋支持具の第２の実施形態について説明する。
【００４５】
図６は、同軒樋支持具の結合状態を示す斜視図である。
【００４６】
この軒樋支持具１は、半円形の軒樋（不図示）を直接受け支持できるように、軒樋の外形に沿った湾曲形状とした本体部１２と、取付片部１１とよりなる取付杆１０、および凹溝部２１を有した取付基板２０を含んで構成されている。
【００４７】
取付基板２０と取付杆１０の取付片部１１との結合構造については、第１の実施形態と同様であるため、同一の符号を付してその説明は省略する。また、本実施形態に示した軒樋支持具によって、第１の実施形態と同様の効果が奏せられることはいうまでもない。
【００４８】
以上の２つの実施形態では、突片として、取付基板２０または取付杆１０に一体的に形成したものを示したが、別体の弾性部材を取付基板または取付杆に固着して突片を構成してもよい。
【符号の説明】
【００４９】
１      軒樋支持具
１０      取付杆
１１      取付片部
１１ｂ      切欠き凹所
１１ｂａ      凹底部（被当接部）
１１ｃ      側端縁（被当接部）
１１ｄ      突片
１２      本体部
２０      取付基板
２１      凹溝部
２１ａ      底部
２１ｂ      側壁
２１ｃ      リブ（補強部）
２２      両翼片部
２３      突片
３０      樋支持具本体
Ｒ      リベット
Ｔ      軒樋
【図１】
2010196343.tif 000003
【図２】
2010196343.tif 000004
【図３】
2010196343.tif 000005
【図４】
2010196343.tif 000006
【図５】
2010196343.tif 000007
【図６】
2010196343.tif 000008